(57)【要約】【課題】  所望形状又は構造の耐水性を有する部屋を効率良く施工できるようにする。【解決手段】  水を利用する設備品を設置した部屋１であって、部屋１の壁部２及び／又は床部３の下地をセメント系ボード５で構成し、ボード５に建築意匠材６を固定したこと。ボード５の凹凸を形成し表面に接着剤で建築意匠材６を固定したこと。ボード５が、セメント質心板にメッシュシート１０，１１を埋め込んだものであること。【効果】セメント系ボード５の加工容易性から、部屋１の形状に合わせて切断したり、窓のための開口を設けたりすることが簡単にできると共に、下地をセメント系ボード５で構成しているので耐水性の有る部屋１となる。【選択図】図１
2005240281.tif 000002
【特許請求の範囲】
【請求項１】
水を利用する設備品を設置した部屋であって、該部屋の壁部及び／又は床部の下地をセメント系ボードで構成し、該ボードに建築意匠材を固定したことを特徴とする水廻り部屋。
【請求項２】
前記壁部の室内に面する全域の下地を前記セメント系ボードで構成し、必要な箇所に前記建築意匠材を固定した請求項１に記載の水廻り部屋。
【請求項３】
前記セメント系ボードの表面に、ＪＩＳＢ０６０１−１９９４で規定の最大高さＲｙが４ｍｍ以内で局部山頂の平均間隔Ｓが１０ｍｍ以内からなる凹凸を形成し、該表面に接着剤で前記建築意匠材を固定した請求項１又は２に記載の水廻り部屋。
【請求項４】
前記セメント系ボードが、セメント質心板にメッシュシートを埋め込んだものである請求項１乃至３のいずれか１項に記載の水廻り部屋。
【請求項５】
前記セメント系ボードが、２．４Ｍの最小曲げ半径で彎曲させても、クラックとしてボード折損の原因とならないマイクロクラツクを生じさせ、ボード折損の原因となる大きなクラックを生じさせないものである請求項１乃至４のいずれか１項に記載の水廻り部屋。  
【請求項６】
前記下地を複数枚の前記セメント系ボードで構成し、前記セメント系ボードの継目を一体化している請求項１乃至５のいずれか１項に記載の水廻り部屋。
【請求項７】
防水パンを設置し、壁部の下地として用いる前記セメント系ボードが、建物躯体に取り付けられている請求項１乃至６のいずれか１項に記載の水廻り部屋。
【請求項８】
壁部の下地として用いる前記セメント系ボードが、前記防水パンの内側に位置している請求項７に記載の水廻り部屋。
【請求項９】
壁部の下地として用いられる前記セメント系ボードが、胴縁を介して建物躯体に取り付けられる請求項１乃至８のいずれか１項に記載の水廻り部屋。
【請求項１０】
前記胴縁が合成樹脂製である請求項９記載の水廻り部屋。
【請求項１１】
前記セメント系ボードが多孔質である請求項１乃至１０のいずれか１項に記載の水廻り部屋。
【請求項１２】
前記建築意匠材が前記セメント系ボードに有機系接着層により固定されている請求項１乃至１１のいずれか１項に記載の水廻り部屋。
【請求項１３】
前記セメント系ボードが壁部の下地として用いられる場合に、該ボードと天井部及び／又は床部との継目が一体化され、前記セメント系ボードが床部の下地として用いられる場合に、該ボードと壁部との継目が一体化されている請求項１乃至１２のいずれか１項に記載の水廻り部屋。
【発明の詳細な説明】
【技術分野】
【０００１】
本発明は、水を利用する設備品を設置した水廻り部屋に関するものである。以下、本明細書において、「水を利用する設備品」とは、浴槽，洗面器，洗面化粧台，流し，流し台，便器，洗濯機，給湯器，温水器又は水栓金具等の水を扱うものを言い、「水を利用する設備品を設置した水廻り部屋」とは、浴室，洗面室，調理室，トイレ室，洗濯室又は設備室等であって、前記水を利用する設備品を設置してあるものを言う。
【背景技術】
【０００２】
従来、水廻り部屋は、その壁部に、その性質上、耐水性が求められることから、例えば、特許文献１記載の鋼板パネルが用いられている。
【特許文献１】国際公開第００／３９４２０号パンフレット
【発明の開示】
【発明が解決しようとする課題】
【０００３】
前記鋼板パネルは、耐水性に優れいる。しかし、部屋が単純な立方体でなく、出隅や入隅がある場合や、部屋の窓を設ける場合には、その出隅等や窓に合わせて鋼板パネルを加工することが容易でないく、加工及び施工に長時間を必要とする。そのため、鋼板パネルを用いて部屋を構築する場合には、部屋は単純な形状又は構造となったり、そうでなくても施工が長期となる問題があった。本発明は、上記問題に鑑み創案したものであって、所望形状又は構造の耐水性を有する部屋を効率良く施工できる水廻り部屋を提供することを目的とする。
【課題を解決するための手段】
【０００４】
所望形状又は構造の耐水性を有する部屋を効率良く施工できるようにするために請求項１記載の本発明が採用した手段は、水を利用する設備品を設置した部屋であって、該部屋の壁部及び／又は床部の下地をセメント系ボードで構成し、該ボードに建築意匠材を固定したことを特徴とする水廻り部屋である。
本発明にあっては、セメント系ボードの加工容易性から、部屋の形状に合わせて切断したり、窓のための開口を設けたりすることが簡単にできると共に、壁部及び／又は床部の下地をセメント系ボードで構成しているので耐水性の有る部屋となる。
【０００５】
壁部の耐水性を向上させるために請求項２記載の本発明が採用した手段は、前記壁部の室内に面する全域の下地を前記セメント系ボードで構成し、必要な箇所に前記建築意匠材を固定した請求項１に記載の水廻り部屋である。
本発明にあっては、室内の水や湿気のかかる壁部の全域が、セメント系ボードの下地で形成される。
【０００６】
建築意匠材の剥離を無くするために請求項３記載の本発明が採用した手段は、前記セメント系ボードの表面に、ＪＩＳＢ０６０１−１９９４で規定の最大高さＲｙが４ｍｍ以内で局部山頂の平均間隔Ｓが１０ｍｍ以内からなる凹凸を形成し、該表面に接着剤で前記建築意匠材を固定した請求項１又は２に記載の水廻り部屋である。
本発明にあっては、セメント系ボードの表面が凹凸となっているので、建築意匠材をモルタルや有機系接着剤により固定するに当たって強固に固定できる。
【０００７】
建物躯体の段部等で多少の歪みがある施工箇所にセメント系ボードを張り付けるために請求項４記載の本発明が採用した手段は、前記セメント系ボードが、セメント質心板にメッシュシートを埋め込んだものである請求項１乃至３のいずれか１項に記載の水廻り部屋である。メッシュシートとしとては、耐アルカリ性のガラス繊維ネットや合成樹脂繊維ネットが選択される。
本発明にあっては、メッシュシートによってセメント系ボードの曲げ強度及び剪断強度を向上させてあるので、建物躯体の段部等で多少の歪みがある施工箇所にセメント系ボードを若干変形した状態で張り付けたとしても、セメント系ボードに欠けや割れを生じさせることなく施工できる。
【０００８】
彎曲した壁面や床面を得るために請求項５記載の本発明が採用した手段は、前記セメント系ボードが、２．４Ｍの最小曲げ半径で彎曲させても、クラックとしてボード折損の原因とならないマイクロクラツクを生じさせ、ボード折損の原因となる大きなクラックを生じさせないものである請求項１乃至４のいずれか１項に記載の水廻り部屋である。
本発明にあっては、最小曲げ半径２，４Ｍの許容範囲内でセメント系ボードを彎曲変形させても、セメント系ボード内部で生じるマイクロクラツクにより、外力をボード内部である程度分散・吸収させ、ボード折損の原因となる大きなクラックを生じさせない。
【０００９】
セメント系ボードの継目における建築意匠材の破損を防止するために請求項６記載の本発明が採用した手段は、前記下地を複数枚の前記セメント系ボードで構成し、前記セメント系ボードの継目を一体化している請求項１乃至５のいずれか１項に記載の水廻り部屋である。上記一体化は、継目を介して隣接する両ボードの側縁に跨がってメッシュテープ（耐アルカリ性のガラス繊維ネットや合成樹脂繊維ネットからなるテープ）を接着剤で貼着してボードの継目を覆い隠して行う。
本発明にあっては、地震等で建物躯体に変形が生じたとしても、セメント系ボードの継目を一体化して下地が連続しているため、隣接するボード間に跨がる建築意匠材に、破損に至らしめる応力を集中させることもない。
【００１０】
防水パンを用いるときに、壁部の下地として用いるセメント系ボードの取り付けが簡単となるようにするために請求項７記載の本発明が採用した手段は、防水パンを設置し、壁部の下地として用いる前記セメント系ボードが、建物躯体に取り付けられている請求項１乃至６のいずれか１項に記載の水廻り部屋である。
本発明にあっては、防水パンの側縁に壁パネルを載置して部屋を構築する従来構造とは異なり、壁部の下地として用いる前記セメント系ボードを建物躯体に取り付けることで、防水パンに載置してセメント系ボードを立ち上げる必要がない。
【００１１】
壁部のセメント系ボードを伝わって落ちる水を土間等へ漏水させないために請求項８記載の本発明が採用した手段は、壁部の下地として用いる前記セメント系ボードが、前記防水パンの内側に位置している請求項７に記載の水廻り部屋である。
本発明にあっては、壁部のセメント系ボードを伝わって落ちる水を防水パンへ確実に導くことができる。
【００１２】
建物躯体にセメント系ボードを最適な状態に取り付けるために請求項９記載の本発明が採用した手段は、壁部の下地として用いられる前記セメント系ボードが、胴縁を介して建物躯体に取り付けられる請求項１乃至８のいずれか１項に記載の水廻り部屋である。
本発明にあっては、胴縁を配置する間隔を調整することで、ボードの複数ある取り付け箇所を最適な分布状態とすることが可能となり、また、胴縁の厚みを調整することで、ボードを張り付ける建物躯体側の下地を所定の平面や彎曲面とすることが可能となる。
【００１３】
湿気に対する耐久性を向上させるために請求項１０記載の本発明が採用した手段は、前記胴縁が合成樹脂製である請求項９記載の水廻り部屋である。
本発明にあっては、仮に建物躯体とセメント系ボードの間に形成される空間に湿気が浸入して高湿度になったとしても胴縁が腐るようなことはない。
【００１４】
セメント系ボード裏側の結露対策を施するために請求項１１記載の本発明が採用した手段は、前記セメント系ボードが多孔質である請求項１乃至１０のいずれか１項に記載の水廻り部屋である。
本発明にあっては、セメント系ボードの多孔部分に、建物躯体とセメント系ボードとの空間の湿気を吸着することができるので、該空間の湿度が高くなるのを防ぐことができる。
【００１５】
透水性の建築意匠材を用いたとしてもセメント系ボードへの湿気移動を低減するために請求項１２記載の本発明が採用した手段は、前記建築意匠材が前記セメント系ボードに有機系接着層により固定されている請求項１乃至１１のいずれか１項に記載の水廻り部屋である。
本発明にあっては、有機系接着層が防水層として機能し、建築意匠材からセメント系ボードへ湿気が移動するのを抑制できる。
【００１６】
壁部と天井部の継目や壁部と床部の継目に隙間を生じさせないために請求項１３記載の本発明が採用した手段は、前記セメント系ボードが壁部の下地として用いられる場合に、該ボードと天井部及び／又は床部との継目が一体化され、前記セメント系ボードが床部の下地として用いられる場合に、該ボードと壁部との継目が一体化されている請求項１乃至１２のいずれか１項に記載の水廻り部屋である。一体化は、継目のある内隅（交差）部の表面の側縁に跨がって連結材を接着剤で貼着して行う。この連結材としては、可撓性のある耐アルカリ性のガラス繊維ネットや合成樹脂繊維ネット等からなるメッシュテープ、又は、多数の孔を開口した鋼製又は合成樹脂製の断面Ｌ字状のアングル材が用いられ、メッシュテープの開口目やアングル材の開口孔に接着剤を埋め込んで、継目を覆い隠す。
本発明にあっては、壁部の下地として用いられるセメント系ボードと天井部及び／又は床部との継目が一体化され、床部の下地として用いられるセメント系ボードと壁部との継目が一体化されているため、隙間を生じさせることがなく、部屋としての剛性が高まる。
【発明の効果】
【００１７】
請求項１記載の水廻り部屋は、所望形状又は構造の耐水性を有する部屋を効率良く施工することができる。
請求項２記載の水廻り部屋は、壁部の耐水性を向上させた部屋を効率良く施工することができる。
【００１８】
請求項３記載の水廻り部屋は、建築意匠材の剥離が無く奇麗な意匠面を維持できる。
請求項４記載の水廻り部屋は、建物躯体の施工箇所に段部等で多少の歪みがあったとしても、該施工下地にセメント系ボードを欠けや割れを生じさせることなく張り付けることができる。
【００１９】
請求項５記載の水廻り部屋は、壁面や床面の曲面施工が可能となる。
請求項６記載の水廻り部屋は、セメント系ボードの継目に跨がる建築意匠材の破損を防止して、奇麗な意匠面を維持できる。
【００２０】
請求項７記載の水廻り部屋は、防水パンにセメント系ボードを載置しないので、防水パンと切り離してセメント系ボードの取り付けが簡単にできる。
請求項８記載の水廻り部屋は、壁部から土間等へ漏水することはない。
【００２１】
請求項９記載の水廻り部屋は、胴縁の配置する間隔や厚みを調整することで、セメント系ボードを建物躯体に最適な状態に取り付けることができる。
請求項１０記載の水廻り部屋は、胴縁が腐らないので、湿気に対する耐久性を向上させることができる。
【００２２】
請求項１１記載の水廻り部屋は、建物躯体とセメント系ボードとの空間の湿気が高くなるのを防ぐことで、該空間に面するセメント系ボード裏側の結露の発生を抑制できる。
請求項１２記載の水廻り部屋は、透水性の建築意匠材を用いたとしてもセメント系ボードへの湿気移動を低減できる。
請求項１３記載の水廻り部屋は、壁部と天井部の継目や壁部と床部の継目に隙間を生じさせない部屋となる。
【発明を実施するための最良の形態】
【００２３】
本発明に係る水廻り部屋（以下、「本発明部屋」と言う。）を図面に示す実施形態に基づいて説明する。
【００２４】
（第１の実施の形態）
図１乃至図５は本発明部屋の第１の実施の形態を示すものであり、図１は完成した部屋１の要部を中間省略して示す正面図、図２は壁部２を構成するセメント系ボード５の取り付けを説明するものであって一部破断した正面図、図３は壁部２，２の内隅を構成するセメント系ボード５，５の継目２７、壁部２を構成するセメント系ボード５と天井部４の継目２９及び該ボード５と床部３の継目２８を一体化する状態を説明する一部破断した正面図、図４は施工に用いるセメント系ボード５を示すものであって、図（Ａ）は全体の縦断面図、図（Ｂ）は要部の拡大縦断面図、図５はセメント系ボード５の別態様を示すものであって、図（Ａ）は全体の縦断面図、図（Ｂ）は建築意匠材６を貼着した状態の要部の拡大縦断面図である。
【００２５】
本発明部屋１は、図１に示す如く、水を利用する設備品を設置するためのものであり、壁部２及び床部３の少なくとも一方又は両方の下地をセメント系ボード５で構成し、該ボード５にタイル等の建築意匠材６を固定したものである。該ボード５は、かさ比重（ＪＩＳＡ５４２９に準じる）が１．１〜１．４（好ましくは、１．２〜１．３）ものであって、部屋１の形状に合わせて切断したり、窓のための開口を設けたりすることが簡単にできる加工性の良好なものである。また、ボード５は、無機軽量骨材（例えば、高炉スラグ等）入りポルトランドセメントを主成分とするセメント質心板に、補強シートである網目状のメッシュシート１０，１１（図４及び図５参照）を埋め込んだものであって、耐水性に優れたものである。前記建築意匠材６としては、陶磁器タイル，石材，樹脂製の化粧材，木質系化粧材，ガラス，セメント系化粧材，石灰又は石膏製の化粧材等が施工現場の仕様に応じて選択される。
【００２６】
本発明部屋１を構築するにあたっては、セメント系ボード５の加工容易性から、部屋の形状に合わせて切断したり、窓のための開口を設けたりすることが簡単にできると共に、耐水性に優れたセメント系ボード５で壁部２，床部３及び天井部４の下地を構成しているので耐水性の有る部屋１を得ることができる。
【００２７】
前記セメント系ボード５は、図４及び図５に示す如く、建築意匠材貼着面となり得る表面７，８の各下層に、非吸水性または低吸水性の補強シートである前記メッシュシート（例えば、耐アルカリ性のガラス繊維ネットや合成樹脂繊維ネット等）１０，１１を配設したので、曲げ強度（ＪＩＳＡ１４０８に準じる）が６０〜８０Ｎ／ｍｍ２（好ましくは、７０Ｎ／ｍｍ２）と大きく、多湿環境下でも建築意匠材６や目地部分にクラックを生じさせるおそれのないものである。セメント系ボード５は、メッシュシート１０，１１によって曲げ強度及び剪断強度を向上させてあるので、建物躯体１５の段部等で多少の歪みがある施工箇所に若干変形した状態で張り付けたとしても、ボード自体に欠けや割れを生じさせることなく固定できる。
【００２８】
本発明部屋１の壁部２や床部３に彎曲した壁面（例えば、入隅部や出隅部の彎曲した壁面）や、床面（例えば、床部３の側縁に壁部２に繋がる彎曲する立ち上がり面を形成する）を得る場合には、前記セメント系ボード５は、２．４Ｍの最小曲げ半径で彎曲させても、クラックとしてボード折損の原因とならないマイクロクラツクを生じさせるだけで、ボード折損の原因となる大きなクラックを生じさせないものを選択する。ボード５を最小曲げ半径２，４Ｍの許容範囲内で弾性変形して彎曲変形させて建物躯体の下地に固定しても、ボード内部で生じるマイクロクラツクにより、外力（弾性変形させた状態で止め付けて固定することにより生じる反力）をボード内部である程度分散・吸収させ、ボード折損の原因となる大きなクラックを生じさせない。
【００２９】
また、前記セメント系ボード５は、図４に示すように、一方の表面７が平滑であり、他方の表面８が凹凸面（粗面）に形成されており、貼着する建築意匠材６の仕様に応じて、両表面７，８のうち所望する方を選択して使用することができるようになっている。貼着面８の凹凸は、建築意匠材６を固定するモルタルや有機質接着剤が塗布できる程度の凹凸であり、ＪＩＳＢ０６０１−１９９４で規定の最大高さＲｙが４ｍｍ以内（好ましくは２ｍｍ以内）で局部山頂の平均間隔Ｓが１０ｍｍ以内（好ましくは５ｍｍ以内）となっている。
【００３０】
前記セメント系ボード５は、両表面７，８の各下層に配設したメッシュシート１０，１１の種類を変えることで、表面性状を異ならせることも考えられる。例えば、平滑面側のメッシュシート１０は開口目を小さくし（例えば３×３ｍｍ）、凹凸面（粗面）側の補強シート１１は開口目を大きく（例えば５×５ｍｍ）にすることで、貼着面となり得る両表面７，８の平滑度を明らかに違ったものとすることが可能である。なお、このように、下層に配設したメッシュシート１０，１１の構造の違いを、各表面７，８の表面性状の違いに反映させるためには、表面７，８からメッシュシート１０，１１までの深さを５ｍｍ以内とすることが望ましい。
【００３１】
図５は別態様のセメント系ボード５を示す図面である。同図に示すように、本例のセメント系ボード５は、建築意匠材貼着面とな得る両表面７，９の平滑度が異なっているのみならず、平滑度が低くなされた凹凸面（粗面）側の表面９に、若干のうねりを持たせたところに特色を有している。すなわち、該凹凸面に形成された表面９は、建築意匠材６を当接させると、当該建築意匠材６が、平滑面に形成された表面７に対し角度θで傾斜するようなうねりを有している。
【００３２】
前記セメント系ボード５は、所望に応じ、表面７，８（７，９）を選択して使用することができる。有機系接着剤を使用して面精度の高い意匠壁面を施工する場合は、平滑な表面７を使用し、モルタル系張付け剤を使用して建築意匠材６の剥離が無く接着強度の確保が必要な場合は、粗面になされた表面８（９）を使用すればよい。従って、前記セメント系ボード５だけを用意すれば、２種類の張付け剤のいずれでも意匠壁面の施工が可能なので、コストの大幅な削減がもたらされる。
【００３３】
前記セメント系ボード５は、表面７，８（７，９）に微細な孔が開口する多孔質となっており、建物躯体１５とボード５の間の空間Ｂ（図１参照）の湿気を多孔部分に吸着することができるので、該空間Ｂの湿度上昇を防ぐことができ、該空間Ｂに面するボード裏側の結露の発生を抑制できる。
【００３４】
本例の部屋１の壁部２は、図１及び図２に示す如く、建物躯体１５に胴縁１６を取り付け、該胴縁１６に防水シート１７を介し又は介することなく前記セメント系ボード５を取り付け、該ボード５に建築意匠材６を固定して構築されている。胴縁１６は、建物躯体１５の柱，間柱や土台１３，胴差し１４等にビス又は釘等の止付具で取り付けられる。また、胴縁１６は、一定の厚さを有するスペーサーを部分的に介して、建物躯体１５に取り付けられることもある。胴縁１６は、図示する本例では縦方向に延びるものであるが、ボード５の割り付けによっては、横方向に延びるものを用いることもある。胴縁１６は、配置する間隔を調整することで、各ボード５の複数ある取り付け箇所（後述するスクリユ−１８で止め付ける箇所）を最適な分布状態とすることが可能となり、また、胴縁の厚みＴや配置する位置を調整することで、ボード５を張り付ける建物躯体側の下地を所定の平面や曲面とすることが可能となる。胴縁１６は、防腐剤処理した木質のもの以外に、合成樹脂製のものを選択することもある。合成樹脂製の場合には、仮に建物躯体１５とボード５の間の空間Ｂに湿気が浸入して湿度が高くなったとしても、胴縁１６が腐るようなことはない。
【００３５】
前記胴縁１６に対するセメント系ボード５の取り付けは、スクリユ−１８を用いて行われる。スクリユ−１８には、防錆加工された頭径の大きなリブ付き平頭のものが選択され、ボード５の表面と面一におさまるようにしてある。セメント系ボード５は、厚みとして７〜２１ｍｍ（好ましくは、７〜１３ｍｍ程度）のものが選択される。
【００３６】
複数枚の前記セメント系ボード５を取り付ける場合、隣接するボード５，５の側面どうしを突き合わせた継目１９は、強度的に弱いために一体化してある。該一体化は、図３に示す如く、継目１９を介して隣接するボード５，５の側縁５ａ，５ａに跨がってメッシュテープ２０（例えば、耐アルカリ性のガラス繊維ネットや合成樹脂繊維ネットからなるテープ）を、建築意匠材６を固定するモルタルや有機質接着剤と同質の接着剤で貼着することで、ボード継目１９を覆い隠して行う。この貼着の際には、ボードの継目１９に接着剤を先ず塗り込んで埋めてから、メッシュテープ２０を貼着することで、より確実な一体化ができると共に、ボード継目１９を塞ぐので湿気が継目１９を通過しないようになる。このように、ボード継目１９を一体化して連続させた場合には、地震等で建物躯体に変形が生じたとしても、隣接するボード５，５間に跨がる建築意匠材６に、破損に至らしめる応力を集中させることもなく、建築意匠材６の破損を防止して、奇麗な意匠面を維持できる。
【００３７】
前記セメント系ボード５に対する建築意匠材６の固定は、ボード５の平滑な表面７（図４参照）に対して有機系接着剤（例えば、変成シリコーン系接着剤、エポキシ系接着剤等）の接着層で接着するか、ボード５の粗面になされた表面８（９）に対しモルタル系張付け剤の接着層で接着して行う。有機系接着層で固定する場合には、有機系接着層が防水層として機能するため、建築意匠材６からボード５へ湿気が移動するのを抑制でき、浴室やシャワー室の構築に適している。隣接する建築意匠材６，６の間には、目地間隙を形成して、目地材を充填することもある。建築意匠材６は、多量の水がかかる浴室やシャワー室の場合、非透水性のものが選択される。
【００３８】
本例の部屋１の床部３は、図１に示す如く、土間２１に防水パン２２を据え付け、防水パン２２の上面に固定した断熱層２３を介し又は介することなく前記セメント系ボード５を敷設して固定し、該ボード５に建築意匠材６を固定して構築されている。防水パン２２は、ＦＲＰ（繊維強化プラスチック）製やステンレススチール製のものであり、高さ調節できる支持脚２２ａを用いてレベルが出される。部屋１が浴室の場合に、防水パン２２には、浴槽設置領域と洗い場領域が形成される。上記断熱層２３としては、耐水性が有り吸水性のない有機系発泡板である発泡ポリスチレン板（スタイロホーム）や発泡ポリウレタン系板等の合成樹脂製発泡板であって、厚みが１２〜３０ｍｍのものが選択される。また、上記セメント系ボード５は、厚みとして９〜２１ｍｍ（好ましくは、１２ｍｍ程度）のものが選択される。
【００３９】
上記防水パン２２に対する断熱層２３の固定は、凹凸嵌合又は接着剤（例えば、エポキシ系接着剤等）の接着で行われる。断熱層２３に対するセメント系ボード５の固定は、接着剤（例えば、湿気硬化型の変成シリコーン系接着剤、エポキシ系接着剤、またはポリマーセメント系接着剤等）の接着で行われる。なお、複数枚のセメント系ボード５を敷設する場合には、隣接するボード５の側面どうしを当接させた継目を一体化して、継目を補強することもある。この一体化は、前記壁部２のボード５，５の継目１９（図３参照）に施した一体化の場合と同様に、継目を介して隣接するボード５，５の側縁に跨がってメッシュテープを接着剤で貼着することで、ボード継目を覆い隠して行う。
【００４０】
前記セメント系ボード５に対する建築意匠材６の固定は、前記壁部２の場合と同様に、有機系接着剤（例えば、変成シリコーン系接着剤、エポキシ系接着剤等）の接着層で接着するか、モルタル系張付け剤の接着層で接着して行う。隣接する建築意匠材６，６の間には、目地間隙を形成して、目地材を充填することもある。建築意匠材６は、多量の水がかかる浴室やシャワー室の場合、非透水性のものが選択される。
【００４１】
本例の部屋１の天井部４は、図１に示す如く、建物躯体１５に釣り木及び野縁受けを介して取り付けた野縁２５，２５…に前記セメント系ボード５又は珪酸カリシウム板等からなる天井板２６をスクリュー１８等で固定し、必要に応じて、天井板２６の表面を耐水性で防黴性の塗料で塗装する等して仕上げてある。
【００４２】
本発明部屋１は、図３に示す如く、壁部２，２の内隅（交差）部に生じる継目２７、壁部２と床部３の内隅（交差）部に生じる継目２８、及び、壁部２と天井部４の内隅（交差）部に生じ継目２９の各々を一体化してある。壁部２，２の継目２７の一体化は、継目２７のある内隅部の表面を形成する隣接するセメント系ボード５，５の側縁に跨がって連結材３０を接着剤で貼着して行う。この連結材３０としては、可撓性のある耐アルカリ性のガラス繊維ネットや合成樹脂繊維ネット等からなるメッシュテープ、又は、多数の孔を開口した鋼又は合成樹脂製の断面Ｌ字状のアングル材が用いられ、メッシュテープの開口目やアングル材の開口孔に接着剤を埋め込んで、継目２７を覆い隠す。接着剤としては、前記壁部２の継目１９の場合と同様に、例えば、ポルトランドセメントに無機系細骨材及び粉末樹脂を配合したものが用いられる。
【００４３】
また、壁部２と床部３の継目２８の一体化についても、同様に、継目２８のある内隅部の表面を形成する隣接するセメント系ボード５，５の側縁に跨がって連結材３０を接着剤で貼着して行う。更に、壁部２と天井部４の継目２９の一体化についても、同様に、継目２９のある内隅部の表面を形成する隣接するセメント系ボード５と天井板２６の側縁に跨がって連結材３０を接着剤で貼着して行う。なお、天井側の継目２９のある内隅部には、接着した連結材３０を覆い隠すための回り縁３１を取り付けてある。このように、本発明部屋１は、各継目２７，２８，２９を一体化することで、湿気の通過する隙間を生じさせることがなく、また、部屋としての剛性を高めて頑丈なものとなる。
【００４４】
本発明部屋１は、図１に示す如く、床部３を構成する防水パン２２を設置し、壁部２の下地として用いるセメント系ボード５が、建物躯体１５に取り付けられていため、従来構造である防水パンの側縁に壁パネルを載置して部屋を構築するのとは異なり、防水パン２２と切り離してボード５の取り付けが簡単にできる。更に、本発明部屋１は、防水パンの側縁に壁パネルを載置して起立させる従来構造における壁パネルの起立位置より建物躯体側に寄せて壁部を構築することが可能となるので、従来構造に比べて、部屋１の容積を大きくできる。
【００４５】
本発明部屋１は、図１に示す如く、壁部２の下地として用いるセメント系ボード５が、防水パン２２の内側に位置しており、壁部２のボード５や建築意匠材６を伝わって落ちる水を防水パン２２へ確実に導くことができるようにして、壁部２から土間２１へ漏水させないようにしてある。
【００４６】
（第２の実施の形態）
図６は本発明部屋の第２の実施の形態を示すものであり、図（Ａ）は壁部２を構成するセメント系ボード５と床部３の継目２８を連結する状態を説明する正面図、図（Ｂ）は完成した部屋１を示す正面図である。
【００４７】
本実施の形態の防水パン２２は、前記第１の実施の形態の防水パン２２（図１参照）に比べて、平面寸法より小さくして、現場搬入と据え置き作業をし易くしてある。平面寸法が小さな防水パン２２を用いるにもかかわらず本例の部屋１は、壁部２の下地として用いるボード５の一部又は全部が、防水パン２２より外側に位置することになり、大きな室内容積とすることができる。もし、本例の防水パン２２と平面寸法が同じ寸法の防水パンの側縁に壁パネルを載置して部屋を構築する従来構造では、壁パネルの位置が本例の壁部２に比べて部屋内側に偏することになり、本例の部屋１の室内容積より小さな部屋しか構築できないことになる。
【００４８】
本発明部屋１は、小さな防水パン２２より外側にセメント系ボード５が位置するときの漏水を防止するために、壁部２の下地として用いるボード５と防水パン２２の内側の間に防水材３２を配置してある。防水材３２は、防水シート、合成樹脂板又はステンレススチール板等からなり、胴縁１６とボード５との間に上端側を挟持させて固定し、下端側を防水パン２２の内側に垂れ下げてある。本例の部屋１は、壁部２を伝わって落ちる水を防水材３２で案内して防水パン２２へ確実に導くことができ、壁部２と防水パン２２の間から土間２１へ漏水させることがない。
【００４９】
（第３の実施の形態）
図７は本発明部屋の第３の実施の形態を示すものであり、完成した部屋４１の要部を中間省略すると共に一部を破断して示す正面図である。本例の部屋４１が前記第１の実施の形態と相違する箇所は、床部４３である。壁部２及び天井部４は、第１の実施の形態と実質的に同一である。本例の部屋４１は、防水パンを用いない洗面室，調理室，トイレ室又は洗濯室等に採用される。
【００５０】
上記床部４３は、根太４４，４４…の上に止め付けた木質下地板４５と、木質下地板４５を覆う防水層４６と、防水層４６の上に配置した前記セメント系ボード５等からなる耐湿性下地板４７からなる。床部４３は、耐湿性下地板４７の上に、必要に応じて、前記建築意匠材６を固定する。防水層４６は、ブチルゴムシート等の防水シート又はエポキシ系，ウレタン系の防水接着剤層からなる。床部４３は、湿気が耐湿性下地板４７及び防水層４６で遮断されるため、木質下地板４５及び根太４４を湿らせて腐らすこともない。
【００５１】
前記耐湿性下地板４７は、前記スクリユ−等からなる止付具４８を用いて、防水層４６を貫通して木質下地板４５へ止め付け、防水層４６と止付具４８を蜜着させることで、止付具４８を伝わって木質下地板４５へ浸入しよとする湿気を確実に遮断できるようにしてある。蜜着は、防水層４６を形成する防水シートの自着力又は硬化前の接着剤に止付具４８を接着する等して行われる。
【００５２】
隣接する耐湿性下地板４７，４７の継目があるときには、前記第１の実施の形態と同様に、メッシュテープ２０を接着剤で貼着することで、ボード継目を覆い隠して耐水性を確保する。
【００５３】
（その他の実施の形態）
前記本発明部屋１又は４１は、壁部２の室内に面する全域（但し、窓や扉等の開口部は除く）の下地を前記セメント系ボード５で構成することで、室内の水や湿気のかかる壁部２の耐湿性を向上させることができる。また、前記本発明部屋１又は４１は、壁部２の室内に面する全域に建築意匠材６を固定する必要はなく、必要な箇所にのみ建築意匠材６を固定し、その他の部分を塗装等で仕上げることもある。本発明部屋の実施形態は、以上説明した態様に限定されるものではなく、具体的な構成や形状は状況に応じ適宜変更される。
【図面の簡単な説明】
【００５４】
【図１】本発明部屋の第１の実施の形態を示すものであり、完成した部屋の要部を中間省略して示す正面図である。
【図２】同実施の形態における壁部を構成するセメント系ボードの取り付けを説明するものであって一部破断した正面図である。
【図３】同実施の形態における壁部の内隅を構成するセメント系ボードの継目、壁部を構成するセメント系ボードと天井部の継目及び該ボードと床部の継目を一体化する状態を説明する一部破断した正面図である。
【図４】同実施の形態に用いるセメント系ボードを示すものであって、図（Ａ）は全体の縦断面図、図（Ｂ）は要部の拡大縦断面図である。
【図５】同実施の形態に用いるセメント系ボードの別態様を示すものであって、図（Ａ）は全体の縦断面図、図（Ｂ）は建築意匠材を貼着した状態の要部の拡大縦断面図である。
【図６】第２の実施の形態を示すものであり、図（Ａ）は壁部を構成するセメント系ボードと床部の継目を連結する状態を説明する正面図、図（Ｂ）は完成した部屋を示す正面図である。
【図７】本発明部屋の第３の実施の形態を示すものであり、完成した部屋の要部を中間省略すると共に一部を破断して示す正面図である。
【符号の説明】
【００５５】
２…壁部、３…床部、５…セメント系ボード、６…建築意匠材、１０，１１…メッシュシート、１５…建物躯体、１６…胴縁、１７…防水板、１９…継目、２２…防水パン、２７，２８，２９…継目、３０…連結材
【図１】
2005240281.tif 000003
【図２】
2005240281.tif 000004
【図３】
2005240281.tif 000005
【図４】
2005240281.tif 000006
【図５】
2005240281.tif 000007
【図６】
2005240281.tif 000008
【図７】
2005240281.tif 000009